(57)【要約】【課題】直管型ＬＥＤランプの端部に設けられ、中央部が窪んだソケットを有する蛍光灯器具を含む様々な形態の蛍光灯器具に取り付けること。【解決手段】ハウジングから突出する第１端子（５）と、ハウジング内への押圧操作を受け付け可能な操作部を有する操作体（９）と、操作体（９）への押圧操作に伴って第１端子（５）と導通状態が切り替えられる第２端子（６）と、操作体（９）を押圧操作前の初期状態に復帰させるトーションばね（１２）とを備え、操作体（９）は、一対の第１端子（５）間とは異なる位置に設けられ、ハウジングの表面と対向する基部を有すると共に、操作体（９）を押圧可能な押圧部材（１３）が操作体（９）を覆うようにハウジングに設けられた構成とする。【選択図】図１
2013008475.tif 000002
【特許請求の範囲】
【請求項１】
開口部を有し、直管型ＬＥＤランプ本体の少なくとも端部に設けられるハウジングと、このハウジングの表面から一方向に突出する一対の第１端子と、前記開口部から前記一方向に突出すると共に前記ハウジング内への押圧操作を受け付け可能な操作部を有する操作体と、この操作体への押圧操作に伴って前記第１端子の少なくとも一方と導通状態が切り替えられる第２端子と、前記操作体を押圧操作前の初期状態に復帰させる弾性部材とを備えた直管型ＬＥＤランプ用スイッチ装置において、
前記操作体は、前記一対の第１端子間の中央部とは異なる位置に設けられており、前記ハウジングの前記表面と対向する基部を有すると共に前記操作体を押圧可能な押圧部材が、前記操作部を覆うように前記ハウジングに設けられていることを特徴とする直管型ＬＥＤランプ用スイッチ装置。
【請求項２】
前記押圧部材には、前記一対の第１端子の突出方向に沿って往復動可能に案内される被案内部が設けられていると共に、前記ハウジングには、前記被案内部を案内する案内部が設けられていることを特徴とする請求項１記載の直管型ＬＥＤランプ用スイッチ装置。
【請求項３】
前記ハウジングは筒状に形成されており、このハウジングの外側面には、前記案内部を構成する溝部が前記ハウジングの前記表面に至るように複数設けられていると共に、前記押圧部材には、前記溝部に案内される凸状の前記被案内部が複数設けられていることを特徴とする請求項２記載の直管型ＬＥＤランプ用スイッチ装置。
【請求項４】
前記押圧部材には、前記基部から前記ハウジングの外側面に沿って延びる複数の延出部が設けられ、前記延出部の先端部に設けられたフック部によって前記押圧部材が前記ハウジングに掛け止めされて、前記押圧部材が前記ハウジングに着脱可能に取り付けられていることを特徴とする請求項３記載の直管型ＬＥＤランプ用スイッチ装置。
【請求項５】
前記延出部は、前記押圧部材に一対設けられ、前記ハウジングの外側面の一部に沿った抱持部が前記延出部から延設されていると共に、前記延出部に前記被案内部がそれぞれ形成されていることを特徴とする請求項４記載の直管型ＬＥＤランプ用スイッチ装置。
【請求項６】
前記一対の第１端子の両方の延出方向を含んだ平面を挟んだ一方の領域における前記ハウジングに前記操作体が配設され、前記押圧部材は、前記被案内部が前記一方の領域側に設けられると共に、前記抱持部が前記平面を挟んだ他方の領域側に延設されており、前記抱持部と前記基部との間に前記一対の第１端子を露出させる開放部が形成されていることを特徴とする請求項５記載の直管型ＬＥＤランプ用スイッチ装置。
【請求項７】
前記基部には、前記操作体の先端を露出させる貫通部が設けられており、初期状態において、前記貫通部から露出した前記操作体の先端と前記基部の表面とで、前記ハウジングの前記表面からの距離が等しくなるように設定されていることを特徴とする請求項４から請求項６のいずれか記載の直管型ＬＥＤランプ用スイッチ装置。
【請求項８】
前記ハウジング内には、前記操作体の前記第１端子における前記一方向と相反する方向への押圧操作時に前記操作体が収容される収容部が設けられると共に、前記操作体は、前記一方向を挟む相反する方向の少なくとも一方側からの押圧操作に伴って傾動動作するように構成されており、前記押圧部材の前記基部には、前記操作体の傾動動作を規制する規制部が設けられていることを特徴とする請求項１から請求項７のいずれか記載の直管型ＬＥＤランプ用スイッチ装置。
【請求項９】
前記ハウジング内における前記他方の領域に、前記第１端子と前記第２端子との導通状態を切り替える可動接点が設けられていることを特徴とする請求項６記載の直管型ＬＥＤランプ用スイッチ装置。
【請求項１０】
前記可動接点は、前記第１端子及び第２端子とは別部材で構成されると共に、前記第１端子の少なくとも一方に導通して設けられた第１接点部及び前記第２端子に導通して設けられた第２接点部と対向して配置されており、前記操作体への押圧操作に伴って、前記可動接点が前記第１接点部及び第２接点部に当接することを特徴とする請求項９記載の直管型ＬＥＤランプ用スイッチ装置。
【請求項１１】
前記操作体には、前記操作部の先端と対向する位置に凹部が設けられており、一端部が前記凹部に配置されると共に、他端部が前記可動接点を駆動するシーソー動作可能な駆動部材が、前記一対の第１端子間を通るように配設され、前記弾性部材により前記駆動部材の一端部が前記凹部側に付勢されていることを特徴とする請求項９又は請求項１０記載の直管型ＬＥＤランプ用スイッチ装置。
【請求項１２】
複数のＬＥＤと、前記ＬＥＤを発光させる駆動回路と、前記複数のＬＥＤ及び前記駆動回路を収納する筒状のランプ本体とを具備し、請求項１から請求項１１のいずれかに記載に直管型ＬＥＤランプ用スイッチ装置を前記ランプ本体の端部に設けたことを特徴とする直管型ＬＥＤランプ。
【発明の詳細な説明】
【技術分野】
【０００１】
本発明は、蛍光灯器具のソケットに装着される直管型ＬＥＤランプ用スイッチ装置及びそれを用いた直管型ＬＥＤランプに関する。
【背景技術】
【０００２】
近年、光源にＬＥＤ（Ｌｉｇｈｔ  Ｅｍｉｔｔｉｎｇ  Ｄｉｏｄｅ：発光ダイオード）を用いるＬＥＤランプが普及している。ＬＥＤランプにおいては、従来型の照明器具と比べ、消費電力や二酸化炭素の排出量を大幅に低減できると共に、製品寿命も大幅に拡大できる。このようなＬＥＤランプにおいて、現在、従来型の蛍光灯を代替する照明器具として直管型ＬＥＤランプが注目されている。
【０００３】
このような直管型ＬＥＤランプにおいて、両端に配置された口金に、弾性付勢されたスイッチピンを外側に向けて突出させておき、蛍光灯器具に対する取り付け作業に応じて押し込まれたスイッチピンの一部でＬＥＤへの通電を切り替えるものが提案されている（例えば、特許文献１参照）。この直管型ＬＥＤランプにおいては、蛍光灯器具に対する直管型ＬＥＤランプの取り付け、或いは、蛍光灯器具からの直管型ＬＥＤランプの取り外し時に作業者に電流が流れる事態を防止でき、当該作業時における安全性を確保することができる。
【先行技術文献】
【特許文献】
【０００４】
【特許文献１】特開２０１０−１９２２２９号公報
【発明の概要】
【発明が解決しようとする課題】
【０００５】
上述した特許文献１に記載の直管型ＬＥＤランプにおいては、その端部の中央に弾性付勢されたスイッチピンが外側に向けて突出して設けられていることから、例えば、中央部が窪んだソケットを有する蛍光灯器具には対応することができない。すなわち、中央部が窪んだソケットを有する蛍光灯器具においては、スイッチピンを内側に適切に押し込むことができず、ＬＥＤへの通電を切り替えることが困難なためである。蛍光灯器具には、直管型蛍光灯の一端側の端子（口金ピン）を一方のソケットに差し込んだ後、他端側の端子を他方のソケットに差し込む形態のものや、両方の端子を同時にソケットに装着する形態のものが知られている。一般に、前者の蛍光灯器具においてはソケットの中央部に窪みが設けられていないのに対し、後者の蛍光灯器具においては直管型蛍光灯の口金ピンを通過させるためにソケットの中央部に窪みが設けられている。このため、特許文献１に記載の直管型ＬＥＤランプにおいては、前者の蛍光灯器具に装着できるものの、後者の蛍光灯器具には装着することができない。
【０００６】
本発明はこのような実情に鑑みてなされたものであり、直管型ＬＥＤランプの端部に設けられ、中央部が窪んだソケットを有する蛍光灯器具を含む様々な形態の蛍光灯器具に取り付けることができる直管型ＬＥＤランプ用スイッチ装置及びそれを用いた直管型ＬＥＤランプを提供することを目的とする。
【課題を解決するための手段】
【０００７】
本発明の直管型ＬＥＤランプ用スイッチ装置は、開口部を有し、直管型ＬＥＤランプ本体の少なくとも端部に設けられるハウジングと、このハウジングの表面から一方向に突出する一対の第１端子と、前記開口部から前記一方向に突出すると共に前記ハウジング内への押圧操作を受け付け可能な操作部を有する操作体と、この操作体への押圧操作に伴って前記第１端子の少なくとも一方と導通状態が切り替えられる第２端子と、前記操作体を押圧操作前の初期状態に復帰させる弾性部材とを備え、前記操作体は、前記一対の第１端子間の中央部とは異なる位置に設けられており、前記ハウジングの前記表面と対向する基部を有すると共に前記操作体を押圧可能な押圧部材が、前記操作部を覆うように前記ハウジングに設けられていることを特徴とする。
【０００８】
この構成によれば、操作体が一対の第１端子間とは異なる位置に設けられているので、中央部が窪んでいるソケットを有する蛍光灯器具に取り付けられる場合においても、操作体がソケットの窪み部に入り込む事態が発生しないので、このような蛍光灯器具に取り付けることができる。このため、一端側の端子を一方のソケットに差し込んだ後、他端側の端子を他方のソケットに差し込む形態の蛍光灯器具や、両方の端子を同時にソケットに装着する形態の蛍光灯器具のいずれにも装着できる。さらに、操作体を押圧可能な押圧部材の基部が、第１端子が突出するハウジングの表面と対向するので、押圧可能な領域を広く確保でき、中央部が窪んでいるソケット以外のさまざまな形態のソケットを有する蛍光灯器具にも対応できる。上述した中央部が窪んでいるソケットを有する蛍光灯器具以外の蛍光灯器具には、例えば、本スイッチ装置の取り付け面が概して小判形状に突出した形態のソケットを有する蛍光灯器具が含まれる。
【０００９】
上記直管型ＬＥＤランプ用スイッチ装置において、前記押圧部材には、前記一対の第１端子の突出方向に沿って往復動可能に案内される被案内部が設けられていると共に、前記ハウジングには、前記被案内部を案内する案内部が設けられる。この場合には、被案内部によって押圧部材を円滑に移動させることができるので、押圧部材による操作体の押圧を確実に行うことが可能となる。
【００１０】
上記直管型ＬＥＤランプ用スイッチ装置において、前記ハウジングは筒状に形成されており、このハウジングの外側面には、前記案内部を構成する溝部が前記ハウジングの前記表面に至るように複数設けられていると共に、前記押圧部材には、前記溝部に案内される凸状の前記被案内部が複数設けられている。この場合には、案内部が複数設けられているので、押圧部材をより円滑に移動することができる。また、案内部がハウジングの外側面に設けられているので、ハウジング内の接点機構等との干渉を避けることができる。さらに、溝部がハウジングの表面に至るように設けられているので、押圧部材の取付作業性が良好となる。
【００１１】
上記直管型ＬＥＤランプ用スイッチ装置において、前記押圧部材には、前記基部から前記ハウジングの外側面に沿って延びる複数の延出部が設けられ、前記延出部の先端部に設けられたフック部によって前記押圧部材が前記ハウジングに掛け止めされて、前記押圧部材が前記ハウジングに着脱可能に取り付けられる。この場合には、ハウジングに対し押圧部材を着脱可能に設けることができるため、必要に応じて押圧部材を取り付ける、又は取り外すことによって、蛍光灯器具のソケット形態に即したスイッチ装置の装着が可能となり、装着性が向上すると共に、より多くのソケット形態に対応可能となる。
【００１２】
上記直管型ＬＥＤランプ用スイッチ装置において、前記延出部は、前記押圧部材に一対設けられ、前記ハウジングの外側面の一部に沿った抱持部が前記延出部から延設されていると共に、前記延出部に前記被案内部がそれぞれ形成されている。この場合には、押圧部材がハウジングに着脱可能に取り付けられたものでも、抱持部により押圧部材の動きが制限されるため、蛍光灯器具のソケットへの装着時に押圧部材が外れてしまう不具合を防止できる。また、抱持部も被案内部として機能するので、押圧部材の移動をより円滑にできる。
【００１３】
上記直管型ＬＥＤランプ用スイッチ装置において、前記一対の第１端子の両方の延出方向を含んだ平面を挟んだ一方の領域における前記ハウジングに前記操作体が配設され、前記押圧部材は、前記被案内部が前記一方の領域側に設けられると共に、前記抱持部が前記平面を挟んだ他方の領域側に延設されており、前記抱持部と前記基部との間に前記一対の第１端子を露出させる開放部が形成されている。この場合には、一対の被案内部と抱持部とが一対の第１端子を挟んで互いに異なる側に設けられているので、より安定して押圧部材の移動を案内できると共に、ソケットへの装着時に押圧部材のフック部が外れてしまう不具合を確実に防止できる。また、操作体と一対の被案内部とがハウジングの一方の領域に設けられていると共に、抱持部が他方の領域に設けられており、抱持部と基部との間に一対の第１端子を露出させる開放部が設けられているので、ソケットへの装着時に開放部を介して第１端子を確認することができ、装着性が損なわれない。
【００１４】
上記直管型ＬＥＤランプ用スイッチ装置において、前記基部には、前記操作体の先端を露出させる貫通部が設けられており、初期状態において、前記貫通部から露出した前記操作体の先端と前記基部の表面とで、前記ハウジングの前記表面からの距離が等しくなるように設定されている。この場合には、ハウジングの表面から基部の表面までの距離と、ハウジングの表面から操作体の先端までの距離が等しく設定されているので、着脱可能な押圧部材をハウジングに取り付けて使用する場合と取り外して使用する場合とで、第１端子と第２端子との間で導通状態が切り替わるのに必要な押圧部材又は操作体の押し込み量を同一にでき、接点の切り替えタイミングを合わせることが可能となる。
【００１５】
上記直管型ＬＥＤランプ用スイッチ装置において、前記ハウジング内には、前記操作体の前記第１端子における前記一方向と相反する方向への押圧操作時に前記操作体が収容される収容部が設けられると共に、前記操作体は、前記一方向を挟む相反する方向の少なくとも一方側からの押圧操作に伴って傾動動作するように構成されており、前記押圧部材の前記基部には、前記操作体の傾動動作を規制する規制部が設けられる。この場合には、操作体が、第１端子における一方向と相反する方向への押圧操作に加えて、第１端子における一方向を挟む相反する方向の少なくとも一方向からの押圧操作に伴って傾動動作するものであっても、規制部によって傾動動作が規制されるので、押圧部材によって操作体を第１端子の延在方向へ、安定して押圧することができる。
【００１６】
上記直管型ＬＥＤランプ用スイッチ装置においては前記ハウジング内における他方の領域に、前記第１端子と前記第２端子との導通状態を切り替える可動接点が設けられている。この場合には、他方の領域に可動接点が設けられることから、ハウジング内の空間を有効に利用することができるので、各構成部材を無理なくハウジング内に収容すると共に、構成部材を組み込む際の作業効率を向上することが可能となる。
【００１７】
上記直管型ＬＥＤランプ用スイッチ装置において、前記可動接点は、前記第１端子及び第２端子とは別部材で構成されると共に、前記第１端子の少なくとも一方に導通して設けられた第１接点部及び前記第２端子に導通して設けられた第２接点部と対向して配置されており、前記操作体への押圧操作に伴って、前記可動接点が前記第１接点部及び第２接点部に当接する。この場合には、可動接点を、第１端子及び第２端子と別部材で構成することから、両接点部間の絶縁距離を確保することができるので、絶縁性を高めて安全性を向上することが可能となる。
【００１８】
上記直管型ＬＥＤランプ用スイッチ装置において、前記操作体には、前記操作部の先端と対向する位置に凹部が設けられており、一端部が前記凹部に配置されると共に、他端部が前記可動接点を駆動するシーソー動作可能な駆動部材が、前記一対の第１端子間を通るように配設され、前記弾性部材により前記駆動部材の一端部が前記凹部側に付勢されている。この場合には、駆動部材が一対の第１端子間を通るように配設されることから、ハウジング内におけるスペース効率をさらに向上することが可能となる。また、駆動部材がシーソー動作して可動接点を駆動することから、可動接点と第１接点部及び第２接点部との導通状態を安定して切り替えることが可能となる。
【００１９】
本発明の直管型ＬＥＤランプは、複数のＬＥＤと、前記ＬＥＤを発光させる駆動回路と、前記複数のＬＥＤ及び前記駆動回路を収納する筒状のランプ本体とを具備し、上記直管型ＬＥＤランプ用スイッチ装置のいずれかを前記ランプ本体の端部に設けたことを特徴とする。
【発明の効果】
【００２０】
本発明によれば、直管型ＬＥＤランプの端部に設けられ、中央部が窪んだソケットを有する蛍光灯器具を含む様々な形態の蛍光灯器具に取り付けることができる。
【図面の簡単な説明】
【００２１】
【図１】本発明の一実施の形態に係る直管型ＬＥＤランプ用スイッチ装置の全体構成を示す分解斜視図である。
【図２】図２Ａは、上記実施の形態に係る直管型ＬＥＤランプ用スイッチ装置が有する押圧部材の正面図であり、図２Ｂは、押圧部材の斜視図である。
【図３】上記実施の形態に係る直管型ＬＥＤランプ用スイッチ装置の外観斜視図である。
【図４】図４Ａは、上記実施の形態に係る直管型ＬＥＤランプ用スイッチ装置の後方側から見た正面図であり、図４Ｂは、スイッチ装置の上面図である。
【図５】上記実施の形態に係る直管型ＬＥＤランプ用スイッチ装置が有する外部ケース及び内部ケースの側断面図である。
【図６】上記実施の形態に係る直管型ＬＥＤランプ用スイッチ装置の側断面図である。
【図７】上記実施の形態に係る直管型ＬＥＤランプ用スイッチ装置が有する内部ケース周辺の構成部品を説明するための斜視図である。
【図８】図７に示す状態の内部ケース及びその周辺部品の上面図である。
【図９】上記実施の形態に係る直管型ＬＥＤランプ用スイッチ装置内の構成部品間の位置関係の説明図である。
【図１０】上記実施の形態に係る直管型ＬＥＤランプ用スイッチ装置内の構成部品間の位置関係の説明図である。
【図１１】上記実施の形態に係る直管型ＬＥＤランプ用スイッチ装置が取り付けられる直管型ＬＥＤランプの外観を示す斜視図である。
【図１２】蛍光灯器具Ａに装着される直前の直管型ＬＥＤランプ用スイッチ装置の状態を示す斜視図である。
【図１３】蛍光灯器具Ａに装着された場合の直管型ＬＥＤランプ用スイッチ装置内の構成部品の状態を示す斜視図である。
【図１４】蛍光灯器具Ａに装着された場合の直管型ＬＥＤランプ用スイッチ装置の外観を示す斜視図である。
【図１５】蛍光灯器具Ｂに装着される直前の直管型ＬＥＤランプ用スイッチ装置の状態を示す斜視図である。
【図１６】蛍光灯器具Ｂに装着される直前の押圧部材を装着しない直管型ＬＥＤランプ用スイッチ装置の状態を示す斜視図である。
【図１７】押圧部材を装着しない状態で蛍光灯器具Ｂに装着された場合の直管型ＬＥＤランプ用スイッチ装置内の構成部品の状態を示す斜視図である。
【図１８】上記実施の形態に係る直管型ＬＥＤランプ用スイッチ装置が有する押圧部材の変形例の説明図である。
【図１９】上記実施の形態に係る直管型ＬＥＤランプ用スイッチ装置が有する操作体の変形例の説明図である。
【発明を実施するための形態】
【００２２】
以下、本発明の一実施の形態について添付図面を参照して詳細に説明する。本発明の一実施の形態に係る直管型ＬＥＤランプ用スイッチ装置（以下、単に「スイッチ装置」という）は、直管型ＬＥＤランプの端部に設けられ、直管型ＬＥＤランプ内に実装される駆動回路（例えば、ＡＣ／ＤＣコンバータ）に対する通電状態を切り替えるものである。特に、このスイッチ装置は、中央部が窪んだソケットを有する蛍光灯器具を含む様々な形態の蛍光灯器具への装着を可能とするものである。具体的には、直管型蛍光灯の一端側の端子を一方のソケットに差し込んだ後、他端側の端子を他方のソケットに差し込む形態の蛍光灯器具（以下、適宜「第１種蛍光灯器具」という）及び両方の端子を同時にソケットに装着する形態の蛍光灯器具（以下、適宜「第２種蛍光灯器具」という）などの蛍光灯器具への装着を可能とするものである。
【００２３】
図１は、本発明の一実施の形態に係るスイッチ装置１の全体構成を示す分解斜視図である。なお、以下においては、説明の便宜上、図１に示す左上方側を「スイッチ装置１の後方側」又は単に「後方側」と呼び、図１に示す右下方側を「スイッチ装置１の前方側」又は単に「前方側」と呼ぶものとする。
【００２４】
図１に示すように、本実施の形態に係るスイッチ装置１は、装置本体のハウジングを構成する外部ケース２、内部ケース３及び絶縁カバー４と、内部ケース３に取り付けられる第１端子５及び第２端子６とを備え、内部ケース３に外部ケース２を組み付けて形成される内部空間に可動接点７、駆動部材８、操作体９及びカム体１０等の構成部品を収容し、ハウジングに着脱可能な押圧部材１３を備えて構成されている。ハウジングを構成する外部ケース２、内部ケース３及び絶縁カバー４、並びに、内部空間に収容される駆動部材８、操作体９及びカム体１０、並びに、押圧部材１３は、例えば、絶縁性の樹脂材料で成型されている。以下、スイッチ装置１が有する各構成部品について説明する。
【００２５】
外部ケース２は、概して下方側に開口した円筒形状に設けられている。外部ケース２の上面には、一対の貫通孔２１ａ、２１ｂが形成されている。これらの貫通孔２１ａ、２１ｂの周辺には円形の凹部２２ａ、２２ｂが形成されている。これらの凹部２２ａ、２２ｂの外径は、貫通孔２１ａ、２１ｂの外径よりも僅かに大きい寸法に設けられている。したがって、凹部２２ａ、２２ｂの内部においては、貫通孔２１ａ、２１ｂの周囲に底壁部が設けられた状態となっている。
【００２６】
また、外部ケース２の上面であって、スイッチ装置１の前方側寄りの位置には長方形状を有する開口部２３が形成されている。開口部２３は、長手方向の辺が、一対の貫通孔２１ａ、２１ｂを通過する平面と平行に配置されるように形成されている。外部ケース２の外周であって、開口部２３の側方の位置には、後述する押圧部材１３における凸部１３７ａ、１３７ｂを案内する案内部として機能する一対の凹部（溝部）２４ａ、２４ｂが形成されている。これらの凹部２４ａ、２４ｂは、外部ケース２の中央部分近傍まで形成されている。凹部２４ａ、２４ｂは、外部ケース２の外周面に設けられているので、ハウジング内の接点機構等との干渉を避けることができる。これらの凹部２４ａ、２４ｂの底面には、貫通孔２５ａ、２５ｂが形成されている（図１において貫通孔２５ｂは不図示）。これらの貫通孔２５ａ、２５ｂは、不図示のねじ等の固着部材によりスイッチ装置１をランプ本体に固定する際に利用される。なお、開口部２３の内側には、後述する収容部２６が設けられている。
【００２７】
内部ケース３は、上面視にて概して円形状に設けられている。内部ケース３の外径は、外部ケース２の内周形状に対応する寸法に設計されている。内部ケース３の中央には、上下方向に延在する一対の壁部３１（３１ａ、３１ｂ）が設けられている。これらの壁部３１ａ、３１ｂは、スイッチ装置１の左右方向に一定距離離間して並設されている。これらの壁部３１ａ、３１ｂより後方側部分には、概して半円弧形状を有する筒状部３２が設けられ、前方側部分には壁部３１の下方側部分から延出して、概して半円弧形状を有する円盤形状部３３が設けられている。
【００２８】
一対の壁部３１の上面には、内側部分に平面部３１１（３１１ａ、３１１ｂ）が設けられ、この平面部３１１の外側に支柱部３１２（３１２ａ、３１２ｂ）が設けられている。平面部３１１の中央近傍には、後述する固定ねじ１１が挿通される挿通孔３１３（３１３ａ、３１３ｂ）が形成されている。また、平面部３１１の支柱部３１２寄りの位置には、第１端子５を構成する保持部５２の一部が挿入されるスリット３１４（３１４ａ、３１４ｂ）が形成されている（図１においてスリット３１４ａは不図示、図８参照）。支柱部３１２の上端部にはテーパ面が形成されており、外部ケース２に内部ケース３を収容する際のガイド部として機能する。
【００２９】
筒状部３２には、上面視にて概して矩形状を有する収容部３２１が設けられている。収容部３２１は、筒状部３２に上下方向に貫通して設けられている。この収容部３２１には、詳細について後述するように、可動接点７及びこれに保持されたカム体１０、並びに、駆動部材８の一部が収容される。収容部３２１を規定する内壁面の四隅部には、概して直方体形状の支持部３２２ａ〜３２２ｄが設けられている（図１において支持部３２２ａ〜３２２ｄは不図示、図８参照）。これらの支持部３２２ａ〜３２２ｄの下面には、概して半円弧形状の図示しない凹部が形成されている。これらの凹部は、後述するカム体１０の軸部１０１２を下方側から収容可能な寸法に構成されている。
【００３０】
また、収容部３２１を規定する内壁面のうち、対向する一対の内壁面の上端部には、所定深さの凹部３２３が設けられている。これらの凹部３２３は、外部ケース２の上面部の裏面に設けられた図示しないリブを収容する位置に設けられている。凹部３２３に収容されたリブは、内部ケース３に取り付けられた第１端子５と第２端子６とを絶縁する役割を果たすものである。さらに、これらの凹部３２３の近傍には、スリット３２４が形成されている。このスリット３２４には、後述する保持部５２の一部が挿入される。
【００３１】
一対の壁部３１の間には、一対の支持壁部３４（３４ａ、３４ｂ）が配設されている。これらの支持壁部３４は、円盤形状部３３の上面から立設され、互いに一定距離離間して配置されている。支持壁部３４は、壁部３１の上面と略同一位置まで延出し、その上端部後方には、概して半円弧形状の凹部３４１が形成されている。これらの凹部３４１は、後述する駆動部材８の軸部８２１を収容すると共に、この軸部８２１を回動可能に支持する。これらの一対の支持壁部３４ａ、３４ｂは、それぞれ一対の壁部３１ａ、３１ｂの内側部分から僅かにギャップを挟んで配置されている。これらのギャップには、第１端子５及び第２端子６の一部が配置される。
【００３２】
円盤形状部３３の上面であって、一対の支持壁部３４の間に配置された位置には、後述するトーションばね１２が配置されるばね配置部３３１が設けられている。このばね配置部３３１の上面には、トーションばね１２の腕部１２２ａを係止するための係止部３３２が突出して設けられている。また、円盤形状部３３の所定位置には、一対の貫通孔３３３（３３３ａ、３３３ｂ）が形成されている。これらの貫通孔３３３ａ、３３３ｂは、不図示のねじ等の固着部材によりスイッチ装置１をランプ本体に固定する際に利用される。
【００３３】
絶縁カバー４は、概して長方形状の底面部４１と、この底面部４１の上面中央に設けられた挿入部４２と、底面部４１の対向する一対の端部から上方側に延出して設けられた固定部４３とを有している。挿入部４２は、内部ケース３の筒状部３２に形成された収容部３２１の内壁に対応する外形を有し、収容部３２１内を蓋閉する役割を果たす。このように絶縁カバー４で収容部３２１を蓋閉することにより、収容部３２１内に収容される可動接点７等に対する確実な絶縁を確保している。
【００３４】
挿入部４２の対向する一対の端部近傍には、それぞれ上方に突出する一対の支持片４２１ａ、４２１ｂが設けられている。これらの支持片４２１ａ、４２１ｂは、支持部３２２ａ〜３２２ｄの下面の凹部に収容されたカム体１０の軸部１０１２を下方側から支持する。固定部４３は、絶縁カバー４を内部ケース３に固定する部分である。各固定部４３は、それぞれ屈曲した形状を有し、屈曲部より上方側の部分の中央に開口部４３１が形成されている。これらの開口部４３１で筒状部３２の外面に設けられた突出片３２５を収容することにより、絶縁カバー４が内部ケース３に固定される。
【００３５】
第１端子５は、それぞれ一対の口金ピン部５１（５１ａ、５１ｂ）と、保持部５２（５２ａ、５２ｂ）とを有する。口金ピン部５１は、導電性を有する金属材料に機械加工を施すことにより形成される。口金ピン部５１は、概して円柱形状を有し、中央近傍に鍔状部５１１が設けられている。鍔状部５１１の上方側には円柱形状の接続部５１２が設けられ、その下方側には円筒形状の固定部５１３が設けられている。固定部５１３の外径は、接続部５１２の外径よりも大径に設計されている。固定部５１３の下面には、固定ねじ１１が固定されるねじ溝が設けられている。
【００３６】
保持部５２は、導電性を有する金属板材に打ち抜き加工及び折り曲げ加工を施すことにより形成される。保持部５２は、平面部５２１と、この平面部５２１の後端部から上方側に垂直に折り曲げ形成された垂直面部５２２とを有する。平面部５２１の前方側中央には、円形の開口部５２１ａが形成されている。この開口部５２１ａの側方側には、下方側に延出する一対の腕部５２１ｂが設けられている。垂直面部５２２の側縁部には、後方側に延出する一対の折り曲げ部５２２ａが設けられている。これらの折り曲げ部５２２ａの内側に配置される一方で第１接点部が構成される。この第１接点部は、後述する第２接点部と共に可動接点７が接離される固定接点を構成する。
【００３７】
第２端子６（６ａ、６ｂ）は、導電性を有する金属板材に打ち抜き加工及び折り曲げ加工を施すことにより形成される。第２端子６（６ａ、６ｂ）は、平行に配置される前方端子部６１と後方端子部６２と、これらを連結する連結部６３とを有する。前方端子部６１及び後方端子部６２は、スイッチ装置１の前後方向に延在して配置される。連結部６３は、前方端子部６１及び後方端子部６２と直交して配置される。
【００３８】
前方端子部６１は、連結部６３の下端部であって、その内側部分に設けられている。後方端子部６２は、連結部６３の上端部であって、その外側部分に設けられている。双方の第２端子６ａ、６ｂは、連結部６３における異なる位置に前方端子部６１、後方端子部６２が設けられる点で相違する。前方端子部６１の前端部は、下方側に屈曲した形状を有し、その先端に接続部６１１が設けられている。接続部６１１の下端部は、内部ケース３の下面から露出し、ＬＥＤランプ本体の被接続端子に接続される。後方端子部６２の後端部は、上方側に屈曲した形状を有し、その先端に矩形状部６２１が設けられている。この矩形状部６２１で第２接点部が構成される。
【００３９】
可動接点７（７ａ、７ｂ）は、導電性を有する金属板材に打ち抜き加工及び折り曲げ加工を施すことにより形成される。各可動接点７は、中央部分に設けられた基部７１と、この基部７１の下端部から延出して設けられた平板形状部７２と、基部７１の上端部から延出して設けられた接点部７３とを有している。基部７１は、内側に突出する円弧形状の突出部を有している。平板形状部７２は、上下方向に並べて形成された矩形状の開口部７２１、７２２を有する。下方側の開口部７２１に後述するカム体１０の突出片１０１３を収容する一方、上方側の開口部７２２に後述するカム体１０の係合片１０１４が係合することで、可動接点７とカム体１０とが一体化される。
【００４０】
接点部７３は、第１可動接点部７３１と、第２可動接点部７３２とから構成されている。これらの第１可動接点部７３１と第２可動接点部７３２とは一定距離だけ離間して配置されている。第１可動接点部７３１及び第２可動接点部７３２の上端部近傍には、外側に突出する円弧形状部が設けられている。
【００４１】
駆動部材８は、後方側に設けられた駆動部８１と、この駆動部８１の上面の前端部から斜め上方側に延出するレバー部８２とを有している。駆動部８１は、概して直方体形状を有する。駆動部８１の上面中央には、上方側に延出する板状部８１１が設けられている。板状部８１１が、対向して配置される可動接点７ａ、７ｂの基部７１が互いに接触するのを防止する役割を果たす。
【００４２】
レバー部８２における後端部（駆動部８１との連結部）の近傍には、スイッチ装置１の左右方向に延出する一対の軸部８２１が設けられている。また、レバー部８２における前端部上面には、僅かに突出した被押圧部８２２が設けられている。被押圧部８２２の表面は、概して球面形状を有している。このように被押圧部８２２の表面を球面形状とすることにより、操作体９の押圧動作又は傾動動作に柔軟に対応して駆動部材８を上下移動させることができる。なお、レバー部８２の後方側部分の内部には、トーションばね１２の巻回部１２１を収容する収容空間が設けられている。この収容空間には、巻回部１２１を支持する支持軸部８２３が設けられている（図１に不図示、図６参照）。
【００４３】
駆動部材８の下方側には、弾性部材を構成するトーションばね１２が配置される。トーションばね１２は、巻回部１２１と、この巻回部１２１の両端から延出する一対の腕部１２２ａ、１２２ｂとを有する。一対の腕部１２２ａ、１２２ｂは、巻回部１２１の下端部及び上端部近傍から前方側に略平行に延出して設けられている。
【００４４】
操作体９は、一対の第１端子５（口金ピン部５１）の両方の延出方向を含んだ平面と平行な切断面における断面形状が、下方側部分よりも上方側部分が幅狭となるように形成されている。例えば、操作体９は、正面視にて概して三角形状を有している。操作体９は、上端部に配置された先端部からなる頂部９１と、この頂部９１に対向する底面部９２と、頂部９１を挟んで一方の外形に位置して設けられた第１被押圧部９３と、頂部９１を挟んで第１被押圧部９３と異なる他方の外形に位置して設けられた第２被押圧部９４とを有している。なお、これらの頂部９１、第１被押圧部９３及び第２被押圧部９４により操作体９の操作部が構成されている。
【００４５】
底面部９２の中央には、凹部９２１が設けられている。凹部９２１は、駆動部材８の被押圧部８２２を収容するために設けられている。操作体９の下端部の前面には、一対の突出部９２２ａ、９２２ｂが設けられている。これらの突出部９２２ａ、９２２ｂは、それぞれ底面部９２の端部から凹部９２１の端部までの長さに対応した寸法を有し、その両端部に円弧状のテーパ面が設けられている。また、操作体９の下端部の後面には、一対の突出部９２３ａ、９２３ｂが設けられている（図１において突出部９２３ｂは不図示、図９参照）。これらの突出部９２３ａ、９２３ｂは、底面部９２の端部近傍に配置され、それぞれ円柱状の軸形状を有している。
【００４６】
カム体１０（１０ａ、１０ｂ）は、上下方向に延在する基部１０１を有している。この基部１０１の上方側部分には、可動接点７（７ａ、７ｂ）を押圧可能な当接部１０１１が設けられている。基部１０１の中央近傍の前面及び後面には、軸部１０１２が設けられている。また、基部１０１の下端部近傍の内側には、可動接点７（７ａ、７ｂ）に形成された開口部７２１に挿通される突出片１０１３が設けられている。この突出片１０１３は、駆動部材８の駆動部８１による押圧を受ける被押圧部として機能する。また、基部１０１の中央部近傍の内側には、可動接点７（７ａ、７ｂ）に形成された開口部７２２と係合する係合片１０１４が設けられている。可動接点７（７ａ、７ｂ）の開口部７２１に突出片１０１３を挿通した状態で、係合片１０１４を開口部７２２に係合させることで可動接点７とカム体１０とが一体化される。
【００４７】
押圧部材１３には、外部ケース２の上面と対向する板状の基部１３１が設けられている。基部１３１は、上面視にて概して半円形状を有し、スイッチ装置１の前方側に設けられる。基部１３１の下面の所定位置には、外部ケース２の外側面に沿って、一対の延出部１３２（１３２ａ、１３２ｂ）が設けられている。基部１３１の後方側には、押圧部材１３を外部ケース２に取り付けた際に貫通孔２１ａ、２１ｂ及び凹部２２ａ、２２ｂを露出するための凹部１３１ａが形成されている。この凹部１３１ａの中央部には、凹部１３１ｂが形成されている。延出部１３２ａ、１３２ｂの先端部の内側には、フック部１３３（１３３ａ、１３３ｂ）が設けられている（図１においてフック部１３３ａは不図示、図２参照）。フック部１３３（１３３ａ、１３３ｂ）は、押圧部材１３を外部ケース２に掛け止めするために設けられる。延出部１３２（１３２ａ、１３２ｂ）の中央近傍からは、外部ケース２の外周面の一部に沿った抱持部１３４がスイッチ装置１の後方側に延設されている。延出部１３２（１３２ａ、１３２ｂ）は、側面視にて概して長方形状を有し、抱持部１３４から上部分が、抱持部１３４より下部分より、幅広に構成されている。
【００４８】
基部１３１には、スイッチ装置１の前方側寄りの位置に、長方形状を有する貫通部１３５が形成されている。基部１３１の下面における貫通部１３５の近傍には、操作体９の傾動動作を規制するための規制部１３６（１３６ａ、１３６ｂ）が設けられている。また、延出部１３２（１３２ａ、１３２ｂ）の上端部の内側には、外部ケース２における凹部２４ａ、２４ｂに案内される被案内部として機能する一対の凸部１３７ａ、１３７ｂが設けられている（図１において凸部１３７ａは不図示、図２参照）。
【００４９】
図２は、スイッチ装置１の後方側から見た押圧部材１３の正面図（図２Ａ）及び斜視図（図２Ｂ）である。図２Ａに示すように、規制部１３６ａ、１３６ｂは、上方側部分よりも下方側部分が幅狭となるように形成されている。例えば、規制部１３６ａ、１３６ｂは、正面視にて概して三角形状を有している。また、規制部１３６ａの延出部１３２ａ側の端面から、規制部１３６ｂの延出部１３２ｂ側の端面までの距離は、操作体９における底面部９２の長手方向の長さより短くなるように形成されている。この構成により、後述する押圧部材１３の下方向への押圧操作に伴って、規制部１３６（１３６ａ、１３６ｂ）を収容部２６に収容させることができる。
【００５０】
一対の凸部１３７ａ、１３７ｂは、上端部が基部１３１の下面に接続されている。凸部１３７ａ、１３７ｂは、断面Ｕ字形状であって、外部ケース２における凹部２４ａ、２４ｂに収容される形状を有しており、延出部１３２ａ、１３２ｂの内壁に沿って上下方向に延在して設けられている。凸部１３７ａ、１３７ｂの内側には上下方向に貫通する貫通孔が形成されている。基部１３１には、凸部１３７ａ、１３７ｂにおける貫通孔につながる開口部が形成されている。
【００５１】
図３は、本実施の形態に係るスイッチ装置１の外観斜視図である。図４は、スイッチ装置１の後方側から見た正面図（図４Ａ）及び上面図（図４Ｂ）である。スイッチ装置１においては、外部ケース２の上面から第１端子５（口金ピン部５１ａ、５１ｂ）が突出した状態で固定されている。また、スイッチ装置１においては、外部ケース２の開口部２３から一部が露出した状態で操作体９が保持されている。すなわち、操作体９は、一対の第１端子５の間とは異なる位置に設けられている。
【００５２】
スイッチ装置１においては、貫通部１３５から露出する操作体９における頂部９１と、基部１３１の表面（上面）とで、外部ケース２の表面からの距離が等しくなるように、外部ケース２に押圧部材１３が取り付けられている。この状態において、延出部１３２（１３２ａ、１３２ｂ）は外部ケース２の外側面（外周面）に沿うように配置され、フック部１３３（１３３ａ、１３３ｂ）の上端部が外部ケース２の底面部に当接している。凸部１３７ａ、１３７ｂは、外部ケース２における凹部２４ａ、２４ｂ及び貫通孔２５ａ、２５ｂと重なる位置にあり、凸部１３７ａ、１３７ｂの下端部は凹部２４ａ、２４ｂ内に収容されている。抱持部１３４は外部ケース２の外周面に沿うように配置されている。規制部１３６ａ、１３６ｂの斜面部分は、それぞれ操作体９における第１被押圧部９３及び第２被押圧部９４に沿うように配置されている。
【００５３】
スイッチ装置１においては、一対の第１端子５（口金ピン部５１ａ、５１ｂ）の両方の延出方向を含んだ平面を挟んだ一方の領域（前方側の領域）に操作体９が配設される。押圧部材１３は、基部１３１が、この一方の領域側に設けられる一方、抱持部１３４が平面を挟んだ他方の領域（後方側の領域）側に設けられている。この構成により、抱持部１３４と基部１３１との間には、一対の第１端子５を露出させる開放部１３８が形成される。押圧部材１３は、一対の凸部１３７ａ、１３７ｂ、フック部１３３及び抱持部１３４によって、外部ケース２に取り付けられている。一対の凸部１３７ａ、１３７ｂと抱持部１３４とは、一対の第１端子５を挟んで互いに異なる側に設けられているので、より安定して押圧部材１３の移動を案内できると共に、ソケットへの装着時にフック部１３３が外れてしまう不具合を確実に防止できる。
【００５４】
押圧部材１３は、ハウジング（外部ケース２）に着脱可能に設けられている。この場合には、必要に応じて押圧部材１３を取り付ける、又は取り外すことによって、より多くのソケット形態に対応可能となる。押圧部材１３を外部ケース２に取り付ける場合には、凸部１３７ａ、１３７ｂをそれぞれ凹部２４ａ、２４ｂと重なる位置に位置付け、一対の延出部１３２をやや押し広げながら外部ケース２の下方へ、フック部１３３が外部ケース２の底面部に掛け止めされるまで押し込む。凹部２４ａ、２４ｂは、外部ケース２の表面に至るように設けられているので、押圧部材１３の取付作業性が良好となる。押圧部材１３を外部ケース２から取り外す場合には、延出部１３２の下端部を押し広げながらフック部１３３が外部ケース２の側面部に当接するように押圧部材１３を持ち上げ、そのまま外部ケース２の上方へ押圧部材１３を抜き上げる。
【００５５】
押圧操作を受けていない初期状態において、操作体９の第１被押圧部９３及び第２被押圧部９４は、外部ケース２の平面状の上面に対して、それぞれ９０度未満の角度を有する第１傾斜部９３ａ及び第２傾斜部９４ａ（図７参照）を有している。このように保持された状態で操作体９は、操作部を構成する頂部９１、第１被押圧部９３及び第２被押圧部９４で押圧操作を受け付け可能に構成されている。ここで、操作体９の保持に寄与する外部ケース２の構成について説明する。
【００５６】
図５は、本実施の形態に係るスイッチ装置１が有する外部ケース２及び内部ケース３の側断面図である。図５においては、操作体９の中央を通過する断面であって、スイッチ装置１の後方側から前方側を見た場合の断面を示している。外部ケース２において、開口部２３の内側には、操作体９の一部又は全部を収容可能な収容部２６が設けられている。収容部２６を規定する外部ケース２の内壁面２６ａ、２６ｂは、操作体９が内部側へ移動する際の案内部として機能する。
【００５７】
また、収容部２６の上端部には、支持部を構成する支持壁部２６ｃが設けられている。この支持壁部２６ｃは、図５に示す紙面手前側に僅かに突出して設けられている。なお、支持壁部２６ｃは、収容部２６の反対側の上端部にも設けられている（図１参照）。これらの支持壁部２６ｃは、操作体９の突出部９２２（９２２ａ、９２２ｂ）及び突出部９２３（９２３ａ、９２３ｂ）と当接して初期位置における操作体９の位置決めを行う。駆動部材８を介してトーションばね１２の付勢力を受けた操作体９は、これらの支持壁部２６ｃにより初期位置に保持される。
【００５８】
このように本実施の形態に係るスイッチ装置１においては、外部ケース２の収容部２６の上端部に設けた支持壁部２６ｃによって操作体９を初期位置に保持していることから、外部ケース２から操作体９が脱落するのを防止することができる。また、トーションばね１２の付勢力を利用して操作体９を初期位置に保持していることから、非操作状態における操作体９のガタつきを抑制することができる。
【００５９】
以下、本実施の形態に係るスイッチ装置１の内部構造について説明する。図６は、本実施の形態に係るスイッチ装置１の側断面図である。図６においては、口金ピン部５１ａ、５１ｂの中心を通過する断面を示している。図６に示すように、外部ケース２の内部においては、駆動部材８やトーションばね１２等の構成部品が収容されると共に、第１端子５の保持部５２及び第２端子６が取り付けられた内部ケース３が収容されている。内部ケース３は、外部ケース２に下方側から収容された状態で、貫通孔２１ａ、２１ｂに上方側から挿入された口金ピン部５１ａ、５１ｂに下方側から固定ねじ１１で固定することにより、外部ケース２と一体化されている。
【００６０】
図７は、本実施の形態に係るスイッチ装置１が有する内部ケース３周辺の構成部品を説明するための斜視図である。なお、図７においては、図３に示すスイッチ装置１から外部ケース２及び押圧部材１３を取り外した状態に相当する。なお、図７においては、説明の便宜上、第１端子５の口金ピン部５１ａを省略している。図８は、図７に示す状態の内部ケース３及びその周辺部品の上面図である。
【００６１】
図７及び図８に示すように、内部ケース３には、駆動部材８が配置されている。駆動部材８は、レバー部８２に設けられた軸部８２１が、支持壁部３４（３４ａ、３４ｂ）の凹部３４１に収容された状態で、支持壁部３４（３４ａ、３４ｂ）間の空間に配置されている。凹部３４１内に収容された軸部８２１の上方には、外部ケース２の下面に設けられた図示しない突出片が配置される（図６参照）。駆動部材８の駆動部８１は、筒状部３２の収容部３２１内に収容されている。操作体９の非操作状態において、駆動部材８のレバー部８２は、前端部が上方側に向けて延出した状態となっており、被押圧部８２２が支持壁部３４（３４ａ、３４ｂ）の上端部よりも上方側の位置に配置されている。
【００６２】
レバー部８２の下方側には、トーションばね１２（図７、図８において不図示）が配設されている。トーションばね１２は、一方の腕部１２２ａが係止部３３２に係止され、他方の腕部１２２ｂがレバー部８２の下面に係止されている。これにより、駆動部材８には、軸部８２１を回動支点として、レバー部８２を上方側に付勢する付勢力が作用している。レバー部８２の被押圧部８２２の上方には、操作体９が配置されている。操作体９は、底面部９２に設けられた凹部９２１で被押圧部８２２を収容した状態で配置されている。駆動部材８に作用するトーションばね１２の付勢力によって、操作体９には常に上方側へ移動する力が作用している。なお、操作体９は、外部ケース２の収容部２６に収容され、その移動範囲が制限されていることから、被押圧部８２２から脱落することはない。
【００６３】
収容部３２１において、駆動部材８の駆動部８１の側方側には、可動接点７及びカム体１０（１０ａ、１０ｂ）が配置されている。カム体１０の軸部１０１２は、支持部３２２ａ〜３２２ｄ（図７において不図示、図８参照）の下面に設けられた凹部に下方側から収容されると共に、絶縁カバー４の支持片４２１ａ、４２１ｂ（図７において不図示、図９参照）で下方側から支持されている。これにより、カム体１０は、収容部３２１の内部において、軸部１０１２を回動支点として一定範囲内で回動可能に構成されている。可動接点７は、平板形状部７２でカム体１０に保持されており、カム体１０と一体化されている。このため、可動接点７も、カム体１０と同様に、一定範囲内で回動可能に構成されている。
【００６４】
第１端子５の保持部５２（５２ａ、５２ｂ）は、平面部５２１が壁部３１ａ、３１ｂの平面部３１１ａ、３１１ｂ上に配置される。この場合、平面部５２１は、開口部５２１ａが挿通孔３１３（３１３ａ、３１３ｂ）に対応すると共に、外側の腕部５２１ｂがスリット３１４（３１４ａ、３１４ｂ）に挿入されるように配置される。また、保持部５２は、垂直面部５２２が平面部３１１ａ、３１１ｂの後端部から立設された壁部に沿うように配置される。垂直面部５２２に設けられた内側の折り曲げ部５２２ａは、収容部３２１を規定する内壁面に沿うように配置され、外側の折り曲げ部５２２ａは、筒状部３２に形成されたスリット３２４に挿入される。
【００６５】
固定ねじ１１は、内部ケース３の下方側から挿通孔３１３ａ、３１３ｂに挿入され、保持部５２の開口部５２１ａを貫通する。第１端子５の口金ピン部５１は、開口部５２１ａから突出した固定ねじ１１に固定される。固定ねじ１１により固定された状態において、口金ピン部５１の固定部５１３の下面は、保持部５２の上面に接触した状態となる。これにより、口金ピン部５１と保持部５２とが導通状態とされる。
【００６６】
第２端子６は、後方端子部６２が、収容部３２１を規定する内壁面に沿うように配置され、前方端子部６１が、壁部３１（３１ａ、３１ｂ）と支持壁部３４ａ、３４ｂの間のギャップを通過するように配置されている。また、前方端子部６１の前端部は、円盤形状部３３に形成された不図示のスリットを介して円盤形状部３３の下方側に突出した状態となっている。
【００６７】
絶縁カバー４は、図７に示すように、固定部４３に形成された開口部４３１で、筒状部３２の外面に設けられた突出片３２５を収容することで筒状部３２に固定されている。このように固定された状態において、絶縁カバー４の支持片４２１ａ、４２１ｂの上端が、カム体１０の軸部１０１２を下方側から支持する位置に配置された状態となる（図７、図８に不図示、図９参照）。
【００６８】
図７及び図８に示すように、本実施の形態に係るスイッチ装置１においては、操作体９が収容される収容部２６が一対の第１端子５の延出方向を含んだ平面を挟んだ一方の領域に配置され、可動接点７が他方の領域に配置されている。このため、ハウジング（内部ケース３）内の空間を有効に利用することができるので、各構成部材を無理なくハウジング内に収容すると共に、構成部材を組み込む際の作業効率を向上できる。特に、駆動部材８を一対の第１端子５間を通るように配置していることから、ハウジング内におけるスペース効率をさらに向上できる。また、駆動部材８がシーソー動作して可動接点７を駆動することから、可動接点７と第１接点部及び第２接点部との導通状態を安定して切り替えることができる。
【００６９】
次に、駆動部材８と可動接点７との間の位置関係、可動接点７と第１端子５及び第２端子６との位置関係について説明する。図９及び図１０は、スイッチ装置１内の構成部品間の位置関係の説明図である。図９においては、スイッチ装置１内の構成部品間の位置関係を後方側から示す斜視図を示している。図１０Ａ、図１０Ｂにおいては、それぞれスイッチ装置１内の構成部品間の位置関係を示す後面図、側面図を示している。なお、図９及び図１０においては、操作体９が非操作状態の場合について示している。また、図１０Ｂにおいては、説明の便宜上、第１端子５及び第２端子６を省略している。
【００７０】
操作体９が非操作状態において、駆動部材８は、トーションばね１２の付勢力を受け、後方側に配置される駆動部８１の一端が絶縁カバー４の近傍に配置され、前方側に配置される被押圧部８２２側の他端が上方側に延出した状態となっている（図１０Ｂ参照）。この状態において、駆動部８１は、下端部がカム体１０（１０ａ、１０ｂ）の突出片１０１３に当接し、押し下げている。これにより、カム体１０には、軸部１０１２を回動支点として、基部１０１全体を内側（図１０Ａに示す矢印方向）に回動させる力が作用している。
【００７１】
可動接点７は、当接部１０１１と共に接点部７３が内側に回動して位置させられ、円弧形状の基部７１の下面部が駆動部８１の上面に載置された状態となっている。このとき、駆動部材８の駆動部８１の上面に設けられた板状部８１１は、双方の可動接点７の基部７１の間に配置され、これらの接触を防止している。第１可動接点部７３１は、第１端子５の折り曲げ部５２２ａで構成される第１接点部と対向して配置されている。第２可動接点部７３２は、第２端子６の矩形状部６２１で構成される第２接点部に対向して配置されている。駆動部８１が突出片１０１３を押し下げている状態において、これらの第１可動接点部７３１、第２可動接点部７３２は、それぞれ第１端子５の第１接点部、第２端子６の第２接点部から離間している。
【００７２】
図９、図１０に示すように、本実施の形態に係るスイッチ装置１においては、可動接点７を、第１端子５及び第２端子６と別部材で構成している。これにより、可動接点７の接点部７３と、第１端子５に導通して一体に設けられる第１接点部及び第２端子６に導通して一体に設けられる第２接点部との間の絶縁距離を確保することができるので、絶縁性を高めて安全性を向上することが可能となる。
【００７３】
次に、上記構成を有するスイッチ装置１が取り付けられた直管型ＬＥＤランプを蛍光灯器具（第１種蛍光灯器具及び第２種蛍光灯器具）に対して取り付ける際の動作について説明する。まず、上述した第１種蛍光灯器具にスイッチ装置１が取り付けられた直管型ＬＥＤランプを取り付ける場合の動作について説明する。なお、以下においては、説明の便宜上、直管型ＬＥＤランプの一端に取り付けられるスイッチ装置１を例にして説明するが、直管型ＬＥＤランプの他端に取り付けられるスイッチ装置１についても同様である。
【００７４】
ここで、直管型ＬＥＤランプＬは、図１１に示すように、例えば、少なくとも後述する発光面側が透光性を有する絶縁性の樹脂材料で筒状に成型されたランプ本体ＬＡを備えている。スイッチ装置１は、このランプ本体ＬＡの両端部に設けられている。スイッチ装置１は、操作体９が突出する位置が同一位置に配置されるようにランプ本体ＬＡに取り付けられる。ランプ本体ＬＡ内には、図示しない長尺の基板が収納されている。この基板には、図示しない複数のＬＥＤが実装されると共に、これらのＬＥＤに接続される図示しない駆動回路が実装されている。駆動回路は、例えば、スイッチ装置１の第１端子５を介して供給される交流電圧を直流電圧に変換するＡＣ／ＤＣコンバータで構成される。スイッチ装置１を介して蛍光灯器具に取り付けられると、第１端子５を介して印加された交流電圧がＡＣ／ＤＣコンバータにより直流電圧に変換され、ＬＥＤに供給される。ＬＥＤは、このようにＡＣ／ＤＣコンバータから供給される直流電圧により発光する。
【００７５】
なお、直管型ＬＥＤランプＬにおいては、例えば、ランプ本体ＬＡ内に収納される基板の一面に複数のＬＥＤが実装され、他面にＬＥＤ以外の構成部品（例えば、ＡＣ／ＤＣコンバータ）が実装されている。このため、ランプ本体ＬＡの周面においては、基板のＬＥＤが実装された一面に対応する部分が発光面Ｌ１を構成し、ＬＥＤ以外の構成部品が実装された他面に対応する部分が非発光面Ｌ２を構成する。この非発光面Ｌ２に対応するランプ本体ＬＡの内部には、例えば、放熱板などの構成部品が配設される。なお、非発光面Ｌ２側のランプ本体ＬＡを金属材料からなる金属ケースで形成すると共に、発光面Ｌ１側のランプ本体ＬＡを透光性のある樹脂ケースで形成し、金属ケースと樹脂ケースとを一体化させて、筒状のランプ本体ＬＡを構成してもよい。この場合には、金属ケースを放熱板としても利用することができる。
【００７６】
図１２は、第１種蛍光灯器具Ａに装着される直前のスイッチ装置１の状態を示す斜視図である。なお、図１２においては、直管型ＬＥＤランプＬの一部を模式的に示している。第１種蛍光灯器具Ａにおいては、スイッチ装置１が装着されるソケットＡ１を有し、このソケットＡ１の表面（側面）に設けられた円形状の装着面Ａ２に一対の口金ピン挿入孔Ａ３が設けられている。なお、これらの一対の口金ピン挿入孔Ａ３は、孔部を構成する。一対の口金ピン挿入孔Ａ３の奥部には、第１端子５の口金ピン部５１（５１ａ、５１ｂ）と導通される図示しない電極（以下、「内部電極」という）が設けられている。
【００７７】
直管型ＬＥＤランプＬを装着する際には、これらの口金ピン挿入孔Ａ３に対し、スイッチ装置１が有する一対の第１端子５の口金ピン部５１の位置合わせを行った後に挿入し、口金ピン部５１の接続部５１２を内部電極と接続する。直管型ＬＥＤランプＬを装着する際には、開放部１３８から第１端子５を確認することができ、装着性が損なわれない。スイッチ装置１においては、この挿入動作に伴い、押圧部材１３の基部１３１がソケットＡ１の装着面Ａ２に当接し、基部１３１が押圧されて凸部１３７ａ、１３７ｂが、外部ケース２の凹部２４ａ、２４ｂによって下方側（奥方側）に案内される。このとき、抱持部１３４も外部ケース２の外周面に沿って下方側に移動する。これに伴って、押圧部材１３の基部１３１の下面（より具体的には規制部１３６（１３６ａ、１３６ｂ））によって操作体９の第１被押圧部９３及び第２被押圧部９４が外部ケース２（収容部２６）の内部に押圧される。操作体９は、収容部２６の内壁面２６ａ、２６ｂによって下方側（奥方側）に案内される。規制部１３６ａ、１３６ｂは、その斜面部分がそれぞれ操作体９における第１被押圧部９３及び第２被押圧部９４に沿うように配置されているため、操作体９をまっすぐ下方側へ押圧することができる。また、厚みのある規制部１３６によって操作体９を押圧するため、基部１３１をたわませることなく押圧部材１３を適切にスライドさせることができる。
【００７８】
このように、案内部として機能する凹部２４ａ、２４ｂ及び被案内部として機能する凸部１３７ａ、１３７ｂによって押圧部材１３を円滑に移動することができるので、押圧部材１３による操作体９の押圧を確実に行うことが可能となる。また、案内部は複数(本実施の形態において、２つ)設けられているので、基部１３１全体に均等に押圧する力が加わらず、基部１３１の一部にのみ押圧する力が加わる場合でも、押圧部材１３を円滑に移動することができる。抱持部１３４により押圧部材１３の動きが制限されるため、ソケットＡ１への装着時に押圧部材１３が外れてしまう不具合を防止でき、かつ、抱持部１３４も被案内部として機能するので、押圧部材１３の移動をより円滑にできる。また、収容部２６に設けた案内部である内壁面２６ａ、２６ｂで操作体９を案内するようにしていることから、挿入動作に応じた押圧操作に伴って円滑に操作体９を収容部２６に収容させることができる。
【００７９】
図１３は、第１種蛍光灯器具Ａに装着された場合のスイッチ装置１内の構成部品の状態を示す斜視図である。なお、図１３においては、説明の便宜上、図９に示す構成部品のみを示している。押圧部材１３を介して操作体９が外部ケース２（収容部２６）の内部に押圧されると、図１３に示すように、操作体９が載置されたレバー部８２の被押圧部８２２が下方側に押し込まれる。これに伴い、駆動部材８においては、レバー部８２がトーションばね１２の付勢力に抗して押し下げられ、軸部８２１を回動支点として回動する。
【００８０】
このような駆動部材８の回動に伴い、駆動部８１は、可動接点７の基部７１（突出部）を押し広げながら上方側へ移動する。この場合、可動接点７は、保持しているカム体１０の軸部１０１２を回動支点として回動する。そして、基部７１が駆動部８１の上面部から側面部に移行した時点で、可動接点７の第１可動接点部７３１及び第２可動接点部７３２は、第１接点部及び第２接点部に接触した状態となる（図１３に示す状態）。基部７１が駆動部８１の側面部に接触している場合、可動接点７は内側への移動が制限される。第１可動接点部７３１及び第２可動接点部７３２が第１接点部及び第２接点部に接触することにより、第１端子５と第２端子６とが導通状態となり、直管型ＬＥＤランプ内に実装された駆動回路（ＡＣ／ＤＣコンバータ）への通電が可能となるオン状態に切り替えられる。
【００８１】
一方、第１種蛍光灯器具Ａからスイッチ装置１が取り外されると、押圧部材１３を介した操作体９への押圧操作が解除されることから、駆動部材８においては、トーションばね１２の付勢力に応じてレバー部８２の被押圧部８２２が押し上げられ、軸部８２１を回動支点として回動する。このような駆動部材８の回動に伴い、駆動部８１は、絶縁カバー４近傍まで下方側へ移動する（図９に示す状態）。図９に示す状態に移動する過程において、駆動部８１は、カム体１０の突出片１０１３に当接して押し下げる。突出片１０１３の下方側への移動に伴い、可動接点７は、カム体１０の軸部１０１２を回動支点として回動する。これに伴い、カム体１０の当接部１０１１は、可動接点７の接点部７３を内側に押圧する。駆動部８１の側面部による可動接点７の内側への移動の制限が解除されると、可動接点７が内側に移動可能となる。この可動接点７の移動に伴い、第１可動接点部７３１及び第２可動接点部７３２は、第１接点部及び第２接点部から離間した状態となる。第１可動接点部７３１及び第２可動接点部７３２が第１接点部及び第２接点部から離間することにより、第１端子５と第２端子６とが非導通状態となり、直管型ＬＥＤランプ内に実装された駆動回路への通電が行われないオフ状態に切り替えられる。
【００８２】
また、本実施の形態に係るスイッチ装置１においては、押圧部材１３を介した操作体９への押圧操作が解除されると、駆動部材８の初期状態（図９に示す状態）への復帰に伴い、カム体１０の当接部１０１１で接点部７３を内側に戻すように（押圧するように）している。これにより、第１可動接点部７３１及び第２可動接点部７３２を、第１端子５の第１接点部及び第２端子６の第２接点部から確実に離間させることができる。この結果、操作体９に対する押圧操作の状態に応じて第１端子５と第２端子６との導通状態を適切に切り替えることが可能となる。
【００８３】
特に、本実施の形態に係るスイッチ装置１においては、カム体１０を、可動接点７の接点部７３と第１接点部（第１端子５）及び第２接点部（第２端子６）との間に配置し、駆動部材８により突出片１０１３が押圧された状態において、可動接点７の接点部７３を第１接点部及び第２接点部から離間する方向に回動させている。これにより、操作体９の初期位置への復帰に伴い、駆動部材８により突出片１０１３が押圧されると、可動接点７の接点部７３が第１接点部及び第２接点部から離間する方向に押圧されることから、確実に第１端子５と第２端子６とを絶縁状態することが可能となる。
【００８４】
図１４は、第１種蛍光灯器具Ａに装着された場合のスイッチ装置１の外観を示す斜視図である。第１種蛍光灯器具Ａに装着された場合、押圧部材１３は下方側に移動し、凸部１３７ａ、１３７ｂは凹部２４ａ、２４ｂに収容され、規制部１３６ａ、１３６ｂは収容部２６に収容される。図１４に示すように、基部１３１は外部ケース２の表面に接した状態で固定され、凹部１３１ａからは外部ケース２の凹部２２ａ、２２ｂ、凹部２２ａ、２２ｂに収容された鍔状部５１１及び突出した接続部５１２が露出する。凹部１３１ｂは、押圧時における基部１３１の反りを防止するために設けられる。また、凹部１３１ｂは、スイッチ装置１を第１種蛍光灯器具Ａに装着したときに、第１端子５の周囲における埃の蓄積を防ぎ、トラッキング現象を軽減させる。操作体９は、下方側に移動し、外部ケース２内に収容される。
【００８５】
なお、スイッチ装置１から押圧部材１３を取り外した状態で、第１種蛍光灯器具Ａにスイッチ装置１を装着することも可能である。この場合も同様に、口金ピン挿入孔Ａ３に対し、スイッチ装置１が有する一対の第１端子５の口金ピン部５１の位置合わせを行った後に挿入し、口金ピン部５１の接続部５１２を内部電極と接続する。スイッチ装置１においては、この挿入動作に伴い、操作体９の頂部９１がソケットＡ１の装着面Ａ２に当接し、外部ケース２（収容部２６）の内部に押圧される。外部ケース２の表面から押圧部材１３の基部１３１の表面までの距離と、外部ケース２の表面から操作体９の頂部９１までの距離は等しく設定されているので、押圧部材１３を取り付けて使用する場合と取り外して使用する場合とで、第１端子５と第２端子６との間で導通状態が切り替わるのに必要な押圧部材１３又は操作体９の押し込み量は同一となる。したがって、押圧部材１３を取り付けて使用する場合と取り外して使用する場合とで、接点の切り換えタイミングを合わせることが可能となる。
【００８６】
次に、上述した第２種蛍光灯器具にスイッチ装置１が取り付けられた直管型ＬＥＤランプを取り付ける場合の動作について説明する。図１５は、第２種蛍光灯器具Ｂに装着される直前のスイッチ装置１の状態を示す斜視図である。第２種蛍光灯器具Ｂにおいては、スイッチ装置１が装着されるソケットＢ１を有し、このソケットＢ１の装着面に上下方向に直線状に形成された第１溝部Ｂ２と、この第１溝部Ｂ２の図１５における下端部近傍に円形状に形成された第２溝部Ｂ３とが形成されている。第２溝部Ｂ３の内部には、第１端子５の口金ピン部５１（５１ａ、５１ｂ）と導通される図示しない電極である被接続端子が設けられている。
【００８７】
直管型ＬＥＤランプＬを装着する際には、第１溝部Ｂ２の延在方向に沿うように、スイッチ装置１が有する一対の第１端子５の口金ピン部５１の接続部５１２の位置合わせを行い、第１溝部Ｂ２に沿って一対の口金ピン部５１（接続部５１２）を挿入する。そして、第１溝部Ｂ２の下端部に下方側の口金ピン部５１を到達させた後、第２溝部Ｂ３に沿ってスイッチ装置１を回転させ、口金ピン部５１の接続部５１２を被接続端子と接続する。
【００８８】
スイッチ装置１においては、第１溝部Ｂ２に対する挿入動作の過程で、押圧部材１３を押圧操作することにより、押圧部材１３の基部１３１がソケットＢ１の装着面に当接される。この際、基部１３１が押圧されて凸部１３７ａ、１３７ｂが、外部ケース２の凹部２４ａ、２４ｂによって下方側（奥方側）に案内される。これに伴って、押圧部材１３の規制部１３６（１３６ａ、１３６ｂ）によって操作体９の第１被押圧部９３及び第２被押圧部９４が外部ケース２（収容部２６）の内部に押圧される。操作体９は、収容部２６の内壁面２６ａ、２６ｂによって下方側（奥方側）に案内されて、収容部２６に収容される。
【００８９】
この場合、スイッチ装置１の内部においては、図１３に示すように、可動接点７の第１可動接点部７３１及び第２可動接点部７３２は、第１接点部及び第２接点部に接触した状態となる。これにより、第１端子５と第２端子６とが導通状態となり、直管型ＬＥＤランプ内に実装された駆動回路（ＡＣ／ＤＣコンバータ）への通電が可能となるオン状態に切り替えられる。
【００９０】
一方、第２種蛍光灯器具Ｂからスイッチ装置１が取り外されると、可動接点７の第１可動接点部７３１及び第２可動接点部７３２は、第１接点部及び第２接点部から離間した状態となる。これにより、第１端子５と第２端子６とが非導通状態となり、直管型ＬＥＤランプ内に実装された駆動回路への通電が行われないオフ状態に切り替えられる。
【００９１】
なお、図１６に示すように、スイッチ装置１から押圧部材１３を取り外した状態で、第２種蛍光灯器具Ｂにスイッチ装置１を装着することも可能である。この場合、直管型ＬＥＤランプＬを装着する際には、第１溝部Ｂ２の延在方向に沿うように、スイッチ装置１が有する一対の第１端子５の口金ピン部５１の接続部５１２の位置合わせを行い、第１溝部Ｂ２に沿って一対の口金ピン部５１（接続部５１２）を挿入する。そして、第１溝部Ｂ２の下端部に下方側の口金ピン部５１を到達させた後、第２溝部Ｂ３に沿ってスイッチ装置１を回転させ、口金ピン部５１の接続部５１２を被接続端子と接続する。スイッチ装置１においては、第１溝部Ｂ２に対する挿入動作に伴い、操作体９の被押圧部９４（被押圧部９３）がソケットＢ１の装着面に当接する。これにより、操作体９は、傾動動作すると共に、外部ケース２（収容部２６）の内部に押し込まれる。この場合、操作体９は、収容部２６の内壁面２６ａ、２６ｂによって下方側（収容部２６の奥側）に案内される。
【００９２】
ここで、スイッチ装置１は、図１１や図１６に示すように、操作体９がランプ本体ＬＡの非発光面側（Ｌ２側）の領域に設けられている。そのため、直管型ＬＥＤランプＬ（スイッチ装置１）のソケットＢ１への装着完了後において、操作体９の操作部が第１溝部Ｂ２に入り込むことはない。すなわち、一対の口金ピン部５１を第１溝部Ｂ２に沿って奥まで挿入させた際には、操作体９は図１６Ａにおいて、矢印Ｐ１で示す部分に当接している。そして、第２溝部Ｂ３に沿って直管型ＬＥＤランプＬ（スイッチ装置１）を９０度回転させた装着完了状態では、操作体９は同図における矢印Ｐ２で示す部分でソケットＢ１に当接するものとなっており、押し込まれた操作体９が戻らないように構成されている。
【００９３】
スイッチ装置１においては、操作体９に、第１端子５（口金ピン５１）の突出方向を挟んだ相反する一方側からの押圧操作を受け付ける第１被押圧部９３と、他方側からの押圧操作を受け付ける第２被押圧部９４とを設けていることから、簡単な構成でこれらに対する押圧操作に応じて、操作体９を傾動動作させると共に収容部２６内に押し込むことができる。特に、スイッチ装置１においては、操作体９が一対の第１端子５の突出方向を含んだ平面に沿って移動可能に構成されていることから、第２種蛍光灯器具Ｂに対して容易に直管型ＬＥＤランプＬを取り付けることが可能となっている。
【００９４】
図１７は、押圧部材１３を装着しない状態で第２種蛍光灯器具Ｂに装着された場合のスイッチ装置１内の構成部品の状態を示す斜視図である。なお、図１７においては、説明の便宜上、図９に示す構成部品のみを示している。操作体９が外部ケース２（収容部２６）の内部に押圧されると、図１７に示すように、操作体９が載置されたレバー部８２の被押圧部８２２が下方側に押し込まれる。これに伴い、駆動部材８においては、レバー部８２がトーションばね１２の付勢力に抗して押し下げられ、軸部８２１を回動支点として回動する。
【００９５】
このような駆動部材８の回動に伴い、駆動部８１は、可動接点７の基部７１（突出部）を押し広げながら上方側へ移動する。この場合、可動接点７は、保持しているカム体１０の軸部１０１２を回動支点として回動する。そして、基部７１が駆動部８１の上面部から側面部に移行した時点で、第１可動接点部７３１及び第２可動接点部７３２は、第１接点部及び第２接点部に接触した状態となる（図１７に示す状態）。基部７１が駆動部８１の側面部に接触している場合、可動接点７は内側への移動が制限される。第１可動接点部７３１及び第２可動接点部７３２が第１接点部及び第２接点部に接触することにより、第１端子５と第２端子６とが導通状態となり、直管型ＬＥＤランプ内に実装された駆動回路への通電が可能となるオン状態に切り替えられる。
【００９６】
なお、図１７に示す状態に操作体９が移行する際には、側方からの押圧操作に伴い、操作体９が傾動動作して第１被押圧部９３又は第２被押圧部９４の一方が収容部２６内の案内部である内壁面２６ａ又は内壁面２６ｂに当接した後、その後に収容部２６の内部側へ押し込まれる。このように傾動動作を行った後に収容部２６内へ押し込まれる動作に対応するように、スイッチ装置１においては、傾動動作に伴って第１被押圧部９３（第１傾斜部９３ａ）と第２被押圧部９４（第２傾斜部９４ａ）のいずれか一方の被押圧部（傾斜部）が収容部２６の内壁面２６ａ又は内壁面２６ｂに当接した状態において、他方の被押圧部（傾斜部）が開口部２３から突出するように構成している。これにより、傾動動作後の押し込み動作を確実に行うことができるので、第１端子５と第２端子６との導通を確保することが可能となる。
【００９７】
一方、第２種蛍光灯器具Ｂからスイッチ装置１が取り外されると、操作体９への押圧操作が解除されることから、駆動部材８においては、トーションばね１２の付勢力に応じてレバー部８２の被押圧部８２２が押し上げられ、軸部８２１を回動支点として回動する。このような駆動部材８の回動に伴い、駆動部８１は、絶縁カバー４近傍まで下方側へ移動する（図９に示す状態）。図９に示す状態に移動する過程において、駆動部８１は、カム体１０の突出片１０１３に当接して押し下げる。突出片１０１３の下方側への移動に伴い、可動接点７は、カム体１０の軸部１０１２を回動支点として回動する。これに伴い、カム体１０の当接部１０１１は、可動接点７の接点部７３を内側に押圧する。駆動部８１の側面部による可動接点７の内側への移動の制限が解除されると、可動接点７が内側に移動可能となる。この可動接点７の移動に伴い、第１可動接点部７３１及び第２可動接点部７３２は、第１接点部及び第２接点部から離間した状態となる。第１可動接点部７３１及び第２可動接点部７３２が第１接点部及び第２接点部から離間することにより、第１端子５と第２端子６とが非導通状態となり、直管型ＬＥＤランプ内に実装された駆動回路への通電が行われないオフ状態に切り替えられる。
【００９８】
第２種蛍光灯器具Ｂからスイッチ装置１が取り外す場合においても、駆動部材８の初期状態（図９に示す状態）への復帰に伴い、カム体１０の当接部１０１１で接点部７３を内側に戻すようにしている。したがって、第１端子５と第２端子６との導通状態を確実に非導通状態へと切り替えることが可能となる。
【００９９】
以上のように、第２種蛍光灯器具Ｂに対しては、スイッチ装置１に押圧部材１３を取り付けた場合には操作体９への押圧操作により直管型ＬＥＤランプ内に実装された駆動回路への通電が可能となるオン状態に切り替えられ、スイッチ装置１から押圧部材１３を取り外した場合には操作体９の傾動動作により直管型ＬＥＤランプ内に実装された駆動回路への通電が可能となるオン状態に切り替えられる。スイッチ装置１に押圧部材１３を取り付けた場合には、押圧部材１３の規制部１３６（１３６ａ、１３６ｂ）によって操作体９の傾動操作が規制されるため、操作体９は押圧部材１３によって第１端子５の延在方向へ安定して押圧される。
【０１００】
このように本実施の形態に係るスイッチ装置１においては、一対の第１端子５（口金ピン部５１）の間とは異なる位置に操作体９を設け、押圧部材１３を介して操作体９で外部ケース２内への押圧操作（第１端子５の突出方向と相反する方向の押圧操作）を受け付けることから、中央部が窪んでいるソケットを有する蛍光灯器具に取り付けられる場合においても、押圧部材１３の基部１３１の一部がソケットの装着面に当接すれば操作体９を押圧することができるため、このような蛍光灯器具に取り付けることができる。このため、一端側の端子を一方のソケットに差し込んだ後、他端側の端子を他方のソケットに差し込む形態の蛍光灯器具（第１種蛍光灯器具）や、両方の端子を同時にソケットに装着する形態の蛍光灯器具（第２種蛍光灯器具）のいずれにも装着できる。
【０１０１】
また、本実施の形態に係るスイッチ装置１においては、押圧部材１３を介して操作体９で外部ケース２内への押圧操作を受け付けるので、上述した中央部が窪んでいるソケットを有する蛍光灯器具以外の様々な形態のソケットを有する蛍光灯器具にも装着できる。ここで、上述した中央部が窪んでいるソケットを有する蛍光灯器具以外の蛍光灯器具には、例えば、本スイッチ装置１の被装着面が概して小判形状に突出した形態のソケットを有する蛍光灯器具（第３種蛍光灯器具）が含まれる。すなわち、第３種蛍光灯器具では、本スイッチ装置１の被装着面が小判形状に突出したソケットを有することから、仮に押圧部材１３を装着していないと、操作体９がハウジング内部に押圧されない事態が発生し得る。押圧部材１３を装着することで、ソケットの突出部分に押圧部材１３の基部１３１を当接させることができるので、操作体９をハウジング内部に退避させることができ、第１端子５と第２端子６との導通状態を切り替えることが可能となる。なお、ソケットの突出部分に当接するのは、基部１３１の一部で構わない。基部１３１における凹部１３１ａは、第１端子５の口金ピン部５１に沿って設けられているため、例えば、口金ピン部５１を口金ピン挿入孔に挿入する際に、凹部１３１ａ周辺がスイッチ装置１の被装着面に当接すれば操作体９をハウジング内部に押圧することができる。この結果、本実施の形態に係るスイッチ装置１は、中央部が窪んだソケットを有する蛍光灯器具を含む様々な形態の蛍光灯器具に取り付けることが可能となる。
【０１０２】
なお、本発明は、上記実施の形態に限定されず、種々変更して実施することが可能である。上記実施の形態において、添付図面に図示されている大きさや形状などについては、これに限定されず、本考案の効果を発揮する範囲内で適宜変更することが可能である。その他、本考案の目的の範囲を逸脱しない限りにおいて適宜変更して実施することが可能である。
【０１０３】
例えば、上記実施の形態においては、押圧部材１３の抱持部１３４が延出部１３２ａと１３２ｂとの間を連結する場合について示している。しかしながら、抱持部１３４の形状については、これに限定されるものではなく適宜変更が可能である。例えば、延出部１３２ａ、１３２ｂそれぞれから外部ケース２の外周面に沿った抱持部が延設され、これらの抱持部は連結されない構成としてもよい。
【０１０４】
また、上記実施の形態においては、図２に示す構成の押圧部材１３について説明している。しかしながら、押圧部材１３の構成については、これに限定されるものではなく適宜変更が可能である。例えば、図１８に示す押圧部材１３０のように構成してもよい。図１８Ａは押圧部材１３０の後方側から見た正面図であり、図１８Ｂは押圧部材１３０の斜視図である。押圧部材１３０のように、基部１３０１は後方側の中央部に凸部１３０１ａを設ける構成としてもよい。延出部１３０２は、側面視にて概して長方形状を有し、その幅を一定に構成してもよい。規制部１３０３は、規制部１３６と比較してサイズを小さく構成してもよい。凸部１３０４は、平面部により構成してもよい。また、抱持部を設けない構成としてもよい。
【０１０５】
さらに、上記実施の形態においては、一対の第１端子５を備え、これらに対応して一対の第２端子６及び可動接点７を備える場合について示している。上記実施の形態によれば、例えば、一方のスイッチ装置１からの給電構造の直管型ＬＥＤランプにも対応することができる。しかしながら、スイッチ装置１が備える第２端子６及び可動接点７の数量については、上記実施の形態に限定されるものではなく適宜変更が可能である。例えば、ランプ本体の両端に設けられた双方のスイッチ装置１を用いた給電構造を有する直管型ＬＥＤランプに適用する場合には、第２端子６及び可動接点７をそれぞれ１つずつ備えるようにしてもよい。
【０１０６】
さらに、上記実施の形態に係る操作体９においては、図１９Ａに示すように、第１被押圧部９３、第２被押圧部９４が傾斜部（第１傾斜部９３ａ、第２傾斜部９４ａ）を有する場合について説明している。しかしながら、操作体９の形状については、これに限定されるものではなく適宜変更が可能である。例えば、図１９Ｂに示す第１被押圧部９３０、第２被押圧部９４０のように曲線部で構成してもよい。また、図１９Ｃに示す第１被押圧部９３１、第２被押圧部９４１のように曲線部と直線部との組合せにより構成してもよい。また、操作体９の先端の頂部は、図１９Ａに示す頂部９１や図１９Ｃに示す頂部９１Ａのように曲率半径の小さいものに限られず、図１９Ｂに示すようななだらかな頂部９１Ｂであってもよく、円弧状でなくても構わない。
【０１０７】
さらに、上記実施の形態に係る操作体９においては、突出部９２２ａ、９２２ｂ（突出部９２３ａ、９２３ｂ）を２つずつ設ける場合について説明している。しかしながら、操作体９に設けられる突出部の数量については、これに限定されるものではなく適宜変更が可能である。例えば、連続する１つの突出部９２２（９２３）を設けるようにしてもよい。
【０１０８】
さらに、上記実施の形態においては、操作体９が板状に構成される場合について説明している。操作体９の形状については、これに限定されるものではなく適宜変更が可能である。例えば、操作体９の形状に円錐形状を採用することや、複数の段差を有する形状を採用することも可能である。
【０１０９】
さらに、上記実施の形態においては、操作体９が、一対の第１端子５の突出方向を含んだ平面と平行な平面であって、第１端子５を含む平面よりも前方側に配置された平面上に配置された場合について示している。しかしながら、操作体９の位置については、これに限定されるものではなく適宜変更が可能である。例えば、一対の第１端子５の突出方向を含んだ平面と交差する平面上に操作体９を配置してもよい。
【０１１０】
さらに、上記実施の形態においては、収容部２６が外部ケース２に設けられる場合について説明している。しかしながら、収容部２６が設けられる構成部材については、外部ケース２に限定されるものではなく適宜変更が可能である。例えば、外部ケース２とは異なる別部材に収容部２６を設けるようにしてもよい。また、スイッチ装置１のハウジングをＬＥＤランプ本体のハウジングの少なくとも一部と一体に構成したものであっても構わない。
【０１１１】
さらに、上記実施の形態においては、直管型ＬＥＤランプＬの両端にスイッチ装置１が設けられる場合について説明している。しかしながら、直管型ＬＥＤランプＬにおけるスイッチ装置１が設けられる箇所については、これに限定されるものではなく適宜変更が可能である。例えば、直管型ＬＥＤランプＬの一端側のみから給電を行う構造の蛍光灯器具に装着する場合には、直管型ＬＥＤランプＬの一端にのみスイッチ装置１を設けるようにしてもよい。なお、このように直管型ＬＥＤランプＬの一端にのみスイッチ装置１を設ける場合、直管型ＬＥＤランプＬの他端は、ダミー端子等を設けるなどして、対応するソケットに装着可能な構成とすることが好ましい。
【符号の説明】
【０１１２】
１  直管型ＬＥＤランプ用スイッチ装置（スイッチ装置）
２  外部ケース（ハウジング）
２３  開口部
２４ａ、２４ｂ  凹部（案内部）
２６  収容部
２６ａ、２６ｂ  内壁面（案内部）
２６ｃ  支持壁部（支持部）
３  内部ケース（ハウジング）
３１  壁部
３２  筒状部
３２１  収容部
３３  円盤形状部
３４  支持壁部
４  絶縁カバー（ハウジング）
４２  挿入部
４２１ａ、４２１ｂ支持片
５  第１端子
５１、５１ａ、５１ｂ  口金ピン部
５２、５２ａ、５２ｂ  保持部
５２２ａ  折り曲げ部（第１接点部）
６、６ａ、６ｂ  第２端子
６１  前方端子部
６２  後方端子部
６２１  矩形状部（第２接点部）
７、７ａ、７ｂ  可動接点
７１  基部
７２  平板形状部
７３  接点部
７３１  第１可動接点部
７３２  第２可動接点部
８  駆動部材
８１  駆動部
８２  レバー部
８２１  軸部
８２２  被押圧部
９  操作体
９１  頂部
９２  底面部
９２１  凹部
９２２ａ、９２２ｂ、９２３ａ、９２３ｂ  突出部
９３  第１被押圧部
９４  第２被押圧部
１０、１０ａ、１０ｂ  カム体
１０１  基部
１０１１  当接部
１０１２  軸部
１０１３  突出片（被押圧部）
１０１４  係合片
１１  固定ねじ
１２  トーションばね（弾性部材）
１３  押圧部材
１３１  基部
１３２、１３２ａ、１３２ｂ  延出部
１３３、１３３ａ、１３３ｂ  フック部
１３４  抱持部
１３５  貫通部
１３６、１３６ａ、１３６ｂ  規制部
１３７ａ、１３７ｂ  凸部（被案内部）
１３８  開放部
【図１】
2013008475.tif 000003
【図２】
2013008475.tif 000004
【図３】
2013008475.tif 000005
【図４】
2013008475.tif 000006
【図５】
2013008475.tif 000007
【図６】
2013008475.tif 000008
【図７】
2013008475.tif 000009
【図８】
2013008475.tif 000010
【図９】
2013008475.tif 000011
【図１０】
2013008475.tif 000012
【図１１】
2013008475.tif 000013
【図１２】
2013008475.tif 000014
【図１３】
2013008475.tif 000015
【図１４】
2013008475.tif 000016
【図１５】
2013008475.tif 000017
【図１６】
2013008475.tif 000018
【図１７】
2013008475.tif 000019
【図１８】
2013008475.tif 000020
【図１９】
2013008475.tif 000021